(57)【要約】      （修正有）【課題】新たな患者の着座に供し、着座時に比較的に爽やかになるだけではなく、更にウィルス感染の確率を低減できる外来診察室内の患者用イス及び席下敷きを提供する。【解決手段】外来診察室内の患者用イス及び席下敷きは、一つのスイッチ１０及び該スイッチ１０を電気的に接続する一つのモーター２０を、設けてなり、患者が病院へ行って診察を受ける時に、スイッチ１０を抑えつけてモーター２０を回転するように起動でき、複数個のローラー３０の間に設置され且つイス面の上に被覆されたキャタピラ式布パッド４０を、設定の角度に回転するように連動し、前の患者が座ったことにより温度が高すぎる一部分のキャタピラ式布パッド４０は、ちょうどイス面から離れるように回転し、そしてまだ座らないことにより温度が比較的低くなる他の部分のキャタピラ式布パッド４０は、イス面を被覆する位置まで回転し、この患者の着座に供し、着座時に、比較的に爽やかになるだけではなく、更にウィルス感染の確率を低減できる。【選択図】図１
0003197108.tif 000002
【実用新案登録請求の範囲】
【請求項１】
外来診察室内の患者用イス及び席下敷きは、一つのスイッチ，一つのパワーバッテリー，一つのモーターと一つのキャタピラ式布パッドを含んでなり、該パワーバッテリーが該スイッチを電気的に接続し、該モーターがスイッチを電気的に接続し、該キャタピラ式布パッドが、複数個のローラーの間に設置され且つ該患者用イスの或るイス面の上に部分的に被覆され、ユーザーが該スイッチを経由して該モーターの回転を制御する時に、該モーターが、少なくとも一つのローラーを回転するように連動し、これにより、該キャタピラ式布パッドを、該イス面の幅に等しい設定の長さに回転することを特徴とする、外来診察室内の患者用イス及び席下敷き。
【請求項２】
該キャタピラ式布パッドの上に複数本の参考線を画分してなり、2本の参考線の距離が、ちょうど該患者用イスのイス面の幅に等しいことを特徴とする、請求項１に記載の外来診察室内の患者用イス及び席下敷き。
【請求項３】
該複数個のローラー及び該キャタピラ式布パッドが、該患者用イスの上に直接に固定されることを特徴とする、請求項１に記載の外来診察室内の患者用イス及び席下敷き。
【請求項４】
該複数個のローラー及び該キャタピラ式布パッドが、一つの底台の上に設置され、該底台が解体可能な方式により該患者用イスの上に嵌固されることを特徴とする、請求項１に記載の外来診察室内の患者用イス及び席下敷き。
【請求項５】
該キャタピラ式布パッドの全長が、該イス面の幅の9倍の長さで、且つラミネート・サラウンド方式により、該底台内のこれらのローラーの間にラミネート設置されることを特徴とする、請求項４に記載の外来診察室内の患者用イス及び席下敷き。
【考案の詳細な説明】
【技術分野】
【０００１】
本考案は、外来診察室内の患者用イス及び席下敷きに関するものであるが、キャタピラ式布パッドを一つ回転するように連動することにより、前の患者が座った後に比較的熱い部分のキャタピラ式布パッドを、イス面から離れるように回転し、そしてまだ座らないことにより温度が比較的低くなる他の部分のキャタピラ式布パッドは、イス面を被覆する位置まで回転し、新たな患者の着座に供し、着座時に比較的に爽やかになるだけではなく、更にウィルス感染の確率を低減できる。
【背景技術】
【０００２】
患者が病院へ行って診察を受ける時に、慣用の診察用椅子または待ち用のイスは、その席下敷きが何れもイス面の上に直接に固定され、交替で患者が順番に該固定式の席下敷きの上に座るように供する。診察を受けろうとする患者の人数が多くなるので、医師が診察を見る期間内に、該固定式の席下敷きが、殆ど絶えずに数多くの患者にて順番に座られることにより、該固定式の席下敷きの表面温度が絶えずに上昇することを招き、後の着座者は、かっかとして具合が悪くなることを感じる。特に例えば皮膚科の患者または他の表皮性ウィルスを感染するリスクがある患者は、そのウィルスが極めて該固定式の席下敷きの上に残留する可能性があり、且つ他の患者に伝染し、衛生が悪くなる恐れがある。
【考案の概要】
【考案が解決しようとする課題】
【０００３】
本考案の目的は、即ち外来診察室内の患者用イス及び席下敷きを提供するもので、キャタピラ式布パッドを一つ回転するように連動することにより、前の患者が座った後に比較的熱い部分のキャタピラ式布パッドを、イス面から離れるように回転し、そしてまだ座らないことにより温度が比較的低くなる他の部分のキャタピラ式布パッドは、イス面を被覆する位置まで回転し、新たな患者の着座に供し、着座時に比較的に爽やかになるだけではなく、更にウィルス感染の確率を低減できる。
【０００４】
本考案の副次的な目的は、外来診察室内の患者用イス及び席下敷きを提供するもので、そのキャタピラ式布パッドが該患者用イスの上に直接に固定でき、或いは一つの底台の上に設置され、更に底台が該患者用イスの上に嵌固できる。
【０００５】
本考案の更なる他の目的は、外来診察室内の患者用イス及び席下敷きを提供するもので、そのキャタピラ式布パッドの上に複数本の参考線を画分してなり、2本の参考線の距離が、ちょうど該患者用イスのイス面の幅に等しくなることにより、患者が、キャタピラ式布パッドの回転状況を識別するように供する。
【課題を解決するための手段】
【０００６】
前述の実用新案の目的を達成できる外来診察室内の患者用イス及び席下敷きは、一つのスイッチ，一つのパワーバッテリー，一つのモーターと一つのキャタピラ式布パッドを含んでなり、該パワーバッテリーが該スイッチを電気的に接続し、該モーターがスイッチを電気的に接続し、更に該キャタピラ式布パッドが、複数個のローラーの間に設置され且つ該患者用イスの或るイス面の上に部分的に被覆され、ユーザーが該スイッチを経由して該モーターの回転を制御する時に、該モーターが、少なくとも一つのローラーを回転するように連動し、これにより、該キャタピラ式布パッドを、該イス面の幅に等しい設定の長さに回転するように連動する。
【０００７】
本考案のより好ましい実施例の中において、その中でも、該キャタピラ式布パッドの上に複数本の参考線を画分してなり、2本の参考線の距離が、ちょうど該患者用イスのイス面の幅に等しくなる。
【０００８】
本考案のより好ましい実施例の中において、その中でも、該複数個のローラー及び該キャタピラ式布パッドが、該患者用イスの上に直接に固定される。
【０００９】
本考案のより好ましい実施例の中において、その中でも、該複数個のローラー及び該キャタピラ式布パッドが、一つの底台の上に設置され、該底台が解体可能な方式により該患者用イスの上に嵌固される。
【００１０】
本考案のより好ましい実施例の中において、その中でも、該キャタピラ式布パッドの全長が、該イス面の幅の9倍の長さで、且つラミネート・サラウンド方式により、該底台内のこれらのローラーの間にラミネート設置される。
【図面の簡単な説明】
【００１１】
【図１】本考案の外来診察室内の患者用イス及び席下敷きの構造模式図である。
【図２】該外来診察室内の患者用イス及び席下敷きの外観斜視図である。
【図３】本考案の外来診察室内の患者用イス及び席下敷きの他の実施例の構造模式図である。
【図４Ａ】患者が該外来診察室内の患者用イス及び席下敷きを使用する動作流れの模式図である。
【図４Ｂ】患者が該外来診察室内の患者用イス及び席下敷きを使用する動作流れの模式図である。
【図４Ｃ】患者が該外来診察室内の患者用イス及び席下敷きを使用する動作流れの模式図である。
【図４Ｄ】患者が該外来診察室内の患者用イス及び席下敷きを使用する動作流れの模式図である。
【考案を実施するための形態】
【００１２】
同時に図１と図２を参照するが、本考案の提供する外来診察室内の患者用イス及び席下敷きは、主として一つのスイッチ10，一つのパワーバッテリー14，一つのモーター20と一つのキャタピラ式布パッド40を含んでなり、該パワーバッテリー14が該スイッチ10を電気的に接続し、該モーター20がスイッチ10を電気的に接続し、更に該キャタピラ式布パッド40が、複数個のローラー30の間に設置され且つ該患者用イス50の或るイス面51の上に部分的に被覆される。ユーザーが該スイッチ10を経由して該モーター20の回転を制御する時に、該モーター20が、少なくとも一つのローラー30を回転するように連動し、これにより、該キャタピラ式布パッド40を、該イス面51の幅に等しい設定の長さに回転するように連動する。
【００１３】
その中でも、該キャタピラ式布パッド40の上に複数本の参考線41を画分してなり、2本の参考線41の距離が、ちょうど該患者用イス50のイス面51の幅に等しくなる。
【００１４】
該モーター20が、ステッピングモーター又はサーボモータであってもよく、該モーター20が該スイッチ10により起動される時に、ちょうど該キャタピラ式布パッド40を、該設定の長さに回転するように連動できる。
【００１５】
図２に示すように、該複数個のローラー30及び該キャタピラ式布パッド40が、該患者用イス50の上に直接に固定できる。
【００１６】
図３を参照するが、該複数個のローラー30及び該キャタピラ式布パッド40が、一つの底台60の上に設置され、該底台60が解体可能な方式により該患者用イス50の上に嵌固されるが、その嵌固方式が、該底台の上に複数個のスルーホール61を設置でき、且つ該患者用イス50又はイス面51の上に、複数個の対応するスルーホールを設置でき、更に例えば快速解体ロッド62などのハンズフリー・ツールを使用すれば、つまり慣用の嵌合部材（未図示）を快速に操作でき、該底台60が解体可能な方式により該患者用イス50の上に嵌固される。
【００１７】
同時に図４Ａないし図４Ｄを参照するが、患者が診察を受ける時に、自ら該スイッチ10（例えば図４Ａ）を抑えつけ、この時にモーター20が、該キャタピラ式布パッド40を、該イス面51の幅に等しい設定の長さ（例えば図４Ｂ）に回転するように連動し始め、前の患者が座った後に比較的熱い部分のキャタピラ式布パッド40を、イス面51から離れるように回転し、そしてまだ座らないことにより温度が比較的低くなる他の部分のキャタピラ式布パッド40は、イス面51を被覆する位置まで回転し、この患者の着座（例えば図４Ｃ）に供し、この患者が着座する時に、比較的に爽やかになるだけではなく、更にウィルス感染の確率を低減でき、最後に医師により診察を更に見せる（例えば図４Ｄ）。
【００１８】
以上の詳細な説明は、本考案の或る実行可能な実施例に対して具体的な説明で、但し該実施例が本考案の実用新案登録請求の範囲を限定するために用いられるものではなく、例えば本考案の技術精神をまだ脱離しないことによる等価な実施または変更が、いずれも本考案の登録請求の範囲中に含まれるべきである。
【符号の説明】
【００１９】
10  スイッチ
14  パワーバッテリー
20  モーター
30  ローラー 
40  キャタピラ式布パッド
41  参考線
50  患者用イス
51  イス面
60  底台
61  スルーホール
62  快速解体ロッド
【図１】
0003197108.tif 000003
【図２】
0003197108.tif 000004
【図３】
0003197108.tif 000005
【図４Ａ】
0003197108.tif 000006
【図４Ｂ】
0003197108.tif 000007
【図４Ｃ】
0003197108.tif 000008
【図４Ｄ】
0003197108.tif 000009
【手続補正書】
【提出日】平成27年2月12日(2015.2.12)
【手続補正１】
【補正対象書類名】実用新案登録請求の範囲
【補正対象項目名】請求項５
【補正方法】変更
【補正の内容】
【請求項５】
該キャタピラ式布パッドの全長が、該イス面の幅の9倍の長さであって、前記キャタピラ式布パッドが該底台内のこれらのローラーの間に懸架されることを特徴とする、請求項４に記載の外来診察室内の患者用イス及び席下敷き。
【手続補正２】
【補正対象書類名】明細書
【補正対象項目名】００１０
【補正方法】変更
【補正の内容】
【００１０】
本考案のより好ましい実施例の中において、その中でも、該キャタピラ式布パッドの全長が、該イス面の幅の9倍の長さであって、前記キャタピラ式布パッドが該底台内のこれらのローラーの間に懸架される。